(57)【要約】【課題】  スーツケースの表面部に設けた補強部を容易に交換することができるスーツケースを提供する。【解決手段】  一対のシェル１１ａ、１１ｂにより構成されたスーツケース１０において、シェル１１ａの表面部１２には固定手段１３、１３・・・を介して着脱可能に固定される補強部１４が設けられ、補強部１４はシェル１１ａの表面部１２に対して外方から着脱可能に固定されている。【選択図】  図１
0003207574.tif 000002
【実用新案登録請求の範囲】
【請求項１】
一対のシェルにより構成されたスーツケースにおいて、前記シェルの表面部には固定手段を介して着脱可能に固定される補強部が設けられ、前記補強部は前記シェルの表面部に対して外方から着脱可能に固定されていることを特徴とするスーツケース。
【請求項２】
前記固定手段はボルトであって、前記補強部には前記固定手段を挿通する挿通孔部が設けられ、前記ボルトは前記挿通孔部に挿通され、前記シェルの表面部に螺合されることを特徴とする請求項１記載のスーツケース。
【請求項３】
前記補強部は全体略方形板状に形成され、前記シェルの表面部には、前記補強部と略同一の平面形状に凹設された凹部が形成されていることを特徴とする請求項２記載のスーツケース。
【請求項４】
前記補強部は、前記シェルの表面部から突出して配設されることを特徴とする請求項３記載のスーツケース。
【請求項５】
前記補強部には、装飾部が形成されていることを特徴とする請求項１〜４のいずれか１項に記載のスーツケース。
【考案の詳細な説明】
【技術分野】
【０００１】
本考案は、スーツケースに関するものである。
【背景技術】
【０００２】
従来より、鞄としてスーツケースを持って旅行をする場合、スーツケースの運搬時にスーツケースの表面が傷つくといった事態が想定される。
このような事態を防止するために、例えば、特許文献１には、スーツケース表面に形成した凹部の内底面に、凹部の上部開口面よりも突出した装飾用部材を取り付けたスーツケースが開示されている。
【０００３】
特許文献１にあっては、装飾用部材にボルト脚を形成し、スーツケースの蓋体に形成された貫通孔に挿通させ、蓋体の裏面側からナットで螺着させるように構成されている。
しかしながら、特許文献１に記載のスーツケースにあっては、装飾用部材を交換する場合には蓋体の裏面側からナットを取り外す必要があり、例えば、蓋体の裏面側に裏張りがされているようなスーツケースでは、装飾用部材の交換に手間がかかるといった不具合があった。
特許文献１には、装飾用部材が蓋体に接着固定されたスーツケースも開示されているが、装飾用部材の交換が困難であったり、衝撃により装飾用部材が蓋体から外れてしまったりするといった事態が生じる。
【０００４】
特許文献２に記載のスーツケースの保護具にあっては、特許文献１と同様に、スーツケースの表面が摩擦により損傷するのを防止するために、本体及び蓋の表面と側面に保護条を設ける技術が開示されている。
しかしながら、特許文献２にあっても、スーツケースに対する保護具の取付方法に関する記載はなく、特許文献１と同様の不具合を有している。
【先行技術文献】
【特許文献】
【０００５】
【特許文献１】特開第２０１１−１５７７５号公報
【特許文献２】実用新案登録第３１７３０２５号公報
【考案の概要】
【考案が解決しようとする課題】
【０００６】
本考案は、以上のような従来からの不具合を解消するためのものであって、その課題は、スーツケースの表面部に設けた補強部を容易に交換することができるスーツケースを提供することにある。
【課題を解決するための手段】
【０００７】
前記課題を解決するために、請求項１に記載の考案にあっては、一対のシェルにより構成されたスーツケースにおいて、前記シェルの表面部には固定手段を介して着脱可能に固定される補強部が設けられ、前記補強部は前記シェルの表面部に対して外方から着脱可能に固定されていることを特徴とする。
【０００８】
従って、前記補強部は、前記固定手段によって前記シェルの表面部に対して外方から着脱可能に固定される。
【０００９】
請求項２に記載の考案にあっては、前記固定手段はボルトであって、前記補強部には前記固定手段を挿通する挿通孔部が設けられ、前記ボルトは前記挿通孔部に挿通され、前記シェルの表面部に螺合されることを特徴とする。
【００１０】
従って、前記ボルトが前記補強部の前記挿通孔部に挿通され、前記シェルの表面部に螺合されることにより、前記補強部が前記シェルの表面部に固定される。
【００１１】
請求項３に記載の考案にあっては、前記補強部は全体略方形板状に形成され、前記シェルの表面部には、前記補強部と略同一の平面形状に凹設された凹部が形成されていることを特徴とする。
【００１２】
従って、前記補強部は前記シェルの表面部に形成された前記凹部に係合した状態で固定される。
【００１３】
請求項４に記載の考案にあっては、前記補強部は、前記シェルの表面部から突出して配設されることを特徴とする。
【００１４】
請求項５に記載の考案にあっては、前記補強部には、装飾部が形成されていることを特徴とする。
【考案の効果】
【００１５】
請求項１に記載のスーツケースにあっては、前記補強部は、前記固定手段によって前記シェルの表面部に対して外方から着脱可能に固定されるので、スーツケースの表面部に設けた補強部を容易に交換することができるスーツケースを提供することができる。
【００１６】
請求項２に記載のスーツケースにあっては、前記ボルトが前記補強部の前記挿通孔部に挿通され、前記シェルの表面部に螺合されることにより、前記補強部が前記シェルの表面部に固定されるので、前記ボルトを締め付け、又は、緩めることによって、前記補強部を前記シェルの表面部に対して簡単かつ確実に固定することができ、その結果、前記補強部を容易に交換することができる。
【００１７】
請求項３に記載のスーツケースにあっては、前記補強部は前記シェルの表面部に形成された前記凹部に係合した状態で固定されるので、前記補強部を前記シェルの表面部に対してより確実に固定することができる。
【００１８】
請求項４に記載のスーツケースにあっては、前記補強部は、前記シェルの表面部から突出して配設されるので、前記スーツケースが前記シェルの表面部側から壁、床、他の物品等に接触しようとした場合には、前記補強部が壁、床、他の物品等に最初に接触するので、スーツケースの表面部が摩擦により損傷するといった事態を防止することができる。
【００１９】
請求項５に記載のスーツケースにあっては、前記補強部には、装飾部が形成されているので、前記補強部は、装飾部としての訴求効果を得ることができ、スーツケースの外観品質を向上させることができる。
【図面の簡単な説明】
【００２０】
【図１】図１は、本考案に係るスーツケースの一実施の形態を示す正面側斜視図である。
【図２】図２は、本考案に係るスーツケースの一実施の形態において、補強部の分解斜視図である。
【考案を実施するための形態】
【００２１】
以下、添付図面に示す実施の形態に基づき、本考案を詳細に説明する。
図１及び図２に示すように、本考案の一実施の形態に係るスーツケース１０は、一対のシェル１１ａ、１１ｂにより構成され、シェル１１ａの表面部１２には固定手段である六角穴付ボルト１３、１３・・・を介して着脱可能に固定される補強部１４が設けられている。
図１及び図２に示すように、本実施の形態に係る補強部１４は、シェル１１ａの表面部１２と略同一の高さ寸法を有する全体略長方形板状に形成され、補強部１４の隅部１５、１５・・・、及び、長さ方向中央から下方に所定寸法偏位した幅方向両端部１６、１６には六角穴付ボルト１３を挿通する挿通孔部１７、１７・・・が設けられている。
【００２２】
また、図１及び図２に示すように、本実施の形態に係るシェル１１ａの表面部１２には、補強部１４と略同一の平面形状に凹設された凹部１８が形成されている。本実施の形態に係る凹部１８は、シェル１１ａの表面部１２の長さ方向中央やや側方寄り（図１及び図２中左方）から側端（図１及び図２中左端）であって、高さ方向全域に亘って形成されている。
図２に示すように、本実施の形態に係る凹部１８の深さ寸法Ｌ２は、補強部１４の厚さ寸法Ｌ１よりも小さく形成され、その結果、補強部１４は、シェル１１ａの表面部１２から突出して配設されるように構成されている。
【００２３】
また、図２に示すように、本実施の形態に係る凹部１８の隅部１９、１９・・・、及び、長さ方向中央から下方寄りに離間した幅方向両端部２０、２０には、雌ネジ部２１、２１・・・が形成されている。
図２に示すように、本実施の形態に係る雌ネジ部２１、２１・・・は、互いに補強部１４の挿通孔部１７、１７・・・の間と同一の間隔寸法分離間して配設され、図１及び図２に示すように、六角穴付ボルト１３、１３・・・は挿通孔部１７、１７・・・に挿通され、凹部１８の雌ネジ部２１、２１・・・に螺合されるように構成されている。
【００２４】
また、図１及び図２に示すように、本実施の形態に係る補強部１４には、十字状の模様として表された装飾部２２が形成されている。
【００２５】
本実施の形態に係るスーツケース１０の構成について、添付図面を用いてより詳細に説明する。
図１及び図２に示すように、本実施の形態に係るスーツケース１０には、シェル１１ｂの上面部２３の長さ方向に沿って幅方向中央部に設けられた把持部２４が設けられている。
図１及び図２に示すように、本実施の形態に係るスーツケース１０は、一対のシェル１１ａ、１１ｂの底面部２５の隅部に、夫々、キャスター部２６、２６が設けられ、いわゆるキャリーケースとして構成されている。
また、図１及び図２に示すように、本実施の形態に係るスーツケース１０は、一対のシェル１１ａ、１１ｂの開口部全周に亘って設けられ、開閉可能に互いに接合しうるファスナー部２７が設けられている。本実施の形態に係るファスナー部２７は、一対の引手部（図示せず）を有するスライドファスナーにより構成されている。
【００２６】
以下、本実施の形態に係るスーツケース１０の作用について、添付図面を用いて説明する。
図１及び図２に示すように、本実施の形態に係るスーツケース１０は、補強部１４を凹部１８にはめ込み、その後、六角穴付ボルト１３、１３・・・を挿通孔部１７に挿通させ、凹部１８の雌ネジ部２１、２１・・・に螺合させることにより、補強部１４をシェル１１ａの表面部１２に固定して使用することができる。
従って、本実施の形態に係るスーツケース１０にあっては、補強部１４は、固定手段である六角穴付ボルト１３、１３・・・によってシェル１１ａの表面部１２に対して外方から着脱可能に固定されるので、スーツケース１０の表面部１２に設けた補強部１４を容易に交換することができるスーツケースを提供することができる。
【００２７】
特に、図１及び図２に示すように、本実施の形態に係るスーツケース１０にあっては、六角穴付ボルト１３、１３・・・が補強部１４の挿通孔部１７、１７・・・に挿通され、凹部１８の雌ネジ部２１、２１・・・に螺合することによって、補強部１４がシェル１１ａの表面部１２に固定されるので、六角穴付ボルト１３、１３・・・を締め付け、又は、緩めることによって、補強部１４をシェル１１ａの表面部１２に対して簡単かつ確実に固定することができ、その結果、補強部１４を容易に交換することができる。
【００２８】
また、図１及び図２に示すように、本実施の形態に係るスーツケース１０にあっては、補強部１４はシェル１１ａの表面部１２に形成された凹部１８に係合した状態で固定されるので、補強部１４をシェル１１ａの表面部１２に対してより確実に固定することができる。
【００２９】
また、さらに、図１及び図２に示すように、本実施の形態に係るスーツケース１０にあっては、補強部１４は、シェル１１ａの表面部１２から突出して配設されるので、スーツケース１０がシェル１１ａの表面部１２側から壁、床、他の物品等に接触しようとした場合には、補強部１４が壁、床、他の物品等に最初に接触するので、スーツケース１０の表面部１２が摩擦により損傷するといった事態を防止することができる。
【００３０】
また、図１及び図２に示すように、本実施の形態に係るスーツケース１０にあっては、補強部１４には装飾部２２が形成されているので、補強部１４は、装飾部としての訴求効果を得ることができ、スーツケースの外観品質を向上させることができる。
【００３１】
本実施の形態に係る固定手段は、六角穴付ボルト１３である場合を例に説明したが、前記構成に限定されず、一般的なネジや六角ボルト等、外方から着脱可能に固定できるものであればよい。
【産業上の利用可能性】
【００３２】
本考案は、スーツケースに広く適用可能であり、産業上利用可能性を有している。
【符号の説明】
【００３３】
１０：スーツケース
１１ａ、１１ｂ：シェル
１２：表面部
１３：六角穴付ボルト（固定手段）
１４：補強部
１５：補強部の隅部
１６：補強部の幅方向両端部
１７：挿通孔部
１８：凹部
１９：凹部の隅部
２０：凹部の幅方向両端部
２１：雌ネジ部
２２：装飾部
２３：上面部
２４：把持部
２５：底面部
２６：キャスター部
２７：ファスナー部
【図１】
0003207574.tif 000003
【図２】
0003207574.tif 000004